【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、遊技者所有の遊技用価値を用いて遊技が行なわれる封入式遊技機での遊技を可能にする遊技用装置を含む遊技用システムであって、
前記遊技用装置の正当性を認証するために用いる認証用情報が記憶された管理装置を含み、
前記遊技用装置は、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置から送信された前記認証用情報の受信を条件として、前記所定の制限が解除された前記封入式遊技機との通信が可能な通常通信モードに設定する通常通信モード設定手段と、
前記封入式遊技機が遊技者による遊技を行なう状態であるかを判定する判定手段と、
前記制限通信モードにおいて前記認証用情報を受信したことを条件として、前記制限通信モードから前記通常通信モードに切り換える通信モード切換手段とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記制限通信モードから前記通常通信モードに切り換える、遊技用システム。
【請求項２】
遊技媒体を循環させる循環経路を有し、遊技者所有の遊技用価値を用いて遊技が行なわれる封入式遊技機での遊技を可能にする遊技用装置を含む遊技用システムであって、
前記遊技用装置の正当性を認証するために用いる認証用情報が記憶された管理装置と、
遊技場に設置され、前記管理装置から送信された前記認証用情報を受信可能なローカル管理装置とを含み、
前記遊技用装置は、
前記管理装置に記憶された前記認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記管理装置から送信された前記認証用情報の受信を条件として、前記所定の制限が解除された前記封入式遊技機との通信が可能な通常通信モードに設定する通常通信モード設定手段とを含み、
前記ローカル管理装置は、
前記管理装置から送信された前記認証用情報を記憶する認証用情報記憶手段と、
前記封入式遊技機が遊技者による遊技を行なう状態であるかを判定する判定手段と、
前記制限通信モードにおいて前記認証用情報を受信したことを条件として、前記制限通信モードから前記通常通信モードに切り換える通信モード切換手段とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記認証用情報記憶手段に記憶した前記認証用情報を前記遊技用装置へ送信する認証用情報送信手段を含む、遊技用システム。
【請求項３】
遊技媒体を循環させる循環経路を有し、遊技者所有の遊技用価値を用いて遊技が行なわれる封入式遊技機での遊技を可能にする遊技用装置であって、
前記遊技用装置の正当性を認証するために用いる認証用情報を受信できないときに、前記遊技用価値を用いた前記封入式遊技機での遊技を所定の制限の下で許容するための前記封入式遊技機との通信が可能な制限通信モードに設定する制限通信モード設定手段と、
前記認証用情報の受信を条件として、前記所定の制限が解除された前記封入式遊技機との通信が可能な通常通信モードに設定する通常通信モード設定手段と、
前記封入式遊技機が遊技者による遊技を行なう状態であるかを判定する判定手段と、
前記制限通信モードにおいて前記認証用情報を受信したことを条件として、前記制限通信モードから前記通常通信モードに切り換える通信モード切換手段とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記制限通信モードから前記通常通信モードに切り換える、遊技用装置。
【請求項４】
遊技場に設置され、遊技媒体を循環させる循環経路を有し、遊技者所有の遊技用価値を用いて遊技が行なわれる封入式遊技機での遊技を可能にする遊技用装置と通信可能なローカル管理装置であって、
該ローカル管理装置は、前記遊技用装置の正当性を認証するために用いる認証用情報が記憶された管理装置と通信可能に接続され、
前記遊技用装置は、当該遊技用装置の正当性を認証するために用いる認証用情報を受信できないときに、前記遊技用価値を用いた前記封入式遊技機での遊技を所定の制限の下で許容するための前記封入式遊技機との通信が可能な制限通信モードに設定する一方、前記認証用情報の受信を条件として、前記所定の制限が解除された前記封入式遊技機との通信が可能な通常通信モードに設定することが可能であり、
前記ローカル管理装置は、
前記認証用情報が前記管理装置から送信されてきたときに、前記認証用情報を記憶する認証用情報記憶手段と、
前記封入式遊技機が遊技者による遊技を行なう状態であるかを判定する判定手段と、
前記制限通信モードにおいて前記認証用情報を受信したことを条件として、前記制限通信モードから前記通常通信モードに切り換える通信モード切換手段とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記認証用情報記憶手段に記憶した前記認証用情報を前記遊技用装置へ送信する認証用情報送信手段を含む、ローカル管理装置。
【手続補正２】
【補正対象書類名】明細書
【補正対象項目名】０００１
【補正方法】変更
【補正の内容】
【０００１】
本発明は、遊技媒体を循環させる循環経路を有し、遊技者所有の遊技用価値を用いて遊技が行なわれる封入式遊技機での遊技を可能にする遊技用装置を含む遊技用システム、前記遊技用装置、および前記遊技用装置と通信可能なローカル管理装置に関する。
【手続補正３】
【補正対象書類名】明細書
【補正対象項目名】０００７
【補正方法】変更
【補正の内容】
【０００７】
（１）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）を含む遊技用システムであって、
前記遊技用装置の正当性を認証するために用いる認証用情報（基板認証鍵、更新情報）が記憶された管理装置（鍵管理サーバ８００）を含み、
前記遊技用装置は、
前記管理装置に記憶された前記認証用情報を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置から送信された前記認証用情報の受信を条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）と、
前記封入式遊技機が遊技者による遊技を行なう状態であるかを判定する判定手段（図１４７のＳ２１３）と、
前記制限通信モードにおいて前記認証用情報を受信したことを条件として、前記制限通信モードから前記通常通信モードに切り換える通信モード切換手段（図１４７のＳ２１２、Ｓ２１４）とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記制限通信モードから前記通常通信モードに切り換える（図１４７のＳ２１３）。
【手続補正４】
【補正対象書類名】明細書
【補正対象項目名】０００８
【補正方法】変更
【補正の内容】
【０００８】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正５】
【補正対象書類名】明細書
【補正対象項目名】０００９
【補正方法】変更
【補正の内容】
【０００９】
また、制限通信モードにおいて認証用情報を受信したときでも、封入式遊技機が遊技者による遊技を行なう状態であるときには、即座に通常通信モードに切り換わるのではなく、封入式遊技機が遊技者による遊技を行なわない状態となったことを条件にして通常通信モードに切り換わるため、制限通信モードにおいて提供されていた遊技に何らかの影響を与えてしまうことを防止できる。
【手続補正６】
【補正対象書類名】明細書
【補正対象項目名】００１０
【補正方法】変更
【補正の内容】
【００１０】
（２）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）を含む遊技用システムであって、
前記遊技用装置の正当性を認証するために用いる認証用情報（基板認証鍵、更新情報）が記憶された管理装置（鍵管理サーバ８００）と、
遊技場に設置され、前記管理装置から送信された前記認証用情報を受信可能なローカル管理装置（ホールサーバ８０１）とを含み、
前記遊技用装置は、
前記管理装置に記憶された前記認証用情報を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記管理装置から送信された前記認証用情報の受信を条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）とを含み、
前記ローカル管理装置は、
前記管理装置から送信された前記認証用情報を記憶する認証用情報記憶手段（図７２において、ホールサーバは、鍵管理サーバから受信した基板セキュリティ情報（基板認証鍵および更新情報を含む）を記憶、図１４８のＳ２２２）と、
前記封入式遊技機が遊技者による遊技を行なう状態であるかを判定する判定手段（図１４８のＳ２２３）と、
前記制限通信モードにおいて前記認証用情報を受信したことを条件として、前記制限通信モードから前記通常通信モードに切り換える通信モード切換手段（図１４８のＳ２２４；ホールサーバはＣＵに対して基板認証鍵を送信することでモードを切り換える）とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記認証用情報記憶手段に記憶した前記認証用情報を前記遊技用装置へ送信する認証用情報送信手段（図１４８のＳ２２４）を含む。
【手続補正７】
【補正対象書類名】明細書
【補正対象項目名】００１１
【補正方法】変更
【補正の内容】
【００１１】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正８】
【補正対象書類名】明細書
【補正対象項目名】００１２
【補正方法】変更
【補正の内容】
【００１２】
また、制限通信モードにおいてローカル管理装置が認証用情報を受信したときでも、封入式遊技機が遊技者による遊技を行なう状態であるときには、即座にその認証用情報がローカル管理装置から遊技用装置に送信されて通常通信モードに切り換わるのではなく、封入式遊技機が遊技者による遊技を行なわない状態となったことを条件にして認証用情報がローカル管理装置から遊技用装置に送信されて通常通信モードに切り換わるため、制限通信モードにおいて提供されていた遊技に何らかの影響を与えてしまうことを防止できる。
【手続補正９】
【補正対象書類名】明細書
【補正対象項目名】００１３
【補正方法】変更
【補正の内容】
【００１３】
（３）  本発明は、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置（ＣＵ）であって、
前記遊技用装置の正当性を認証するために用いる認証用情報（基板認証鍵、更新情報）を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する制限通信モード設定手段（図１２０、図１３８、図１３９、図１４６）と、
前記認証用情報の受信を条件として、前記所定の制限が解除された前記封入式遊技機との通信が可能な通常通信モード（基板認証鍵モード（基板認証鍵運用））に設定する通常通信モード設定手段（図１２１、図１４１、図１４２、図１４６、図１４７）と、
前記封入式遊技機が遊技者による遊技を行なう状態であるかを判定する判定手段（図１４７のＳ２１３）と、
前記制限通信モードにおいて前記認証用情報を受信したことを条件として、前記制限通信モードから前記通常通信モードに切り換える通信モード切換手段（図１４７のＳ２１２、Ｓ２１４）とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記制限通信モードから前記通常通信モードに切り換える（図１４７のＳ２１３）。
【手続補正１０】
【補正対象書類名】明細書
【補正対象項目名】００１４
【補正方法】変更
【補正の内容】
【００１４】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正１１】
【補正対象書類名】明細書
【補正対象項目名】００１５
【補正方法】変更
【補正の内容】
【００１５】
また、制限通信モードにおいて認証用情報を受信したときでも、封入式遊技機が遊技者による遊技を行なう状態であるときには、即座に通常通信モードに切り換わるのではなく、封入式遊技機が遊技者による遊技を行なわない状態となったことを条件にして通常通信モードに切り換わるため、制限通信モードにおいて提供されていた遊技に何らかの影響を与えてしまうことを防止できる。
【手続補正１２】
【補正対象書類名】明細書
【補正対象項目名】００１６
【補正方法】変更
【補正の内容】
【００１６】
（４）  本発明は、遊技場に設置され、遊技媒体を循環させる循環経路を有し、遊技者所有の遊技用価値（たとえばカード残高、持玉数、あるいは貯玉数等）を用いて遊技が行なわれる封入式遊技機（Ｐ台、Ｓ台）での遊技を可能にする遊技用装置と通信可能なローカル管理装置（ホールサーバ８０１）であって、
該ローカル管理装置は、前記遊技用装置の正当性を認証するために用いる認証用情報が記憶された管理装置と通信可能に接続され、
前記遊技用装置は、当該遊技用装置の正当性を認証するために用いる認証用情報（基板認証鍵、更新情報）を受信できないときに、前記遊技用価値を用いた前記封入式遊技機での遊技を所定の制限（遊技を一定時間だけ可能にする）の下で許容するための前記封入式遊技機との通信が可能な制限通信モード（基板初期鍵モード（基板初期鍵運用））に設定する一方、前記認証用情報の受信を条件として、前記所定の制限が解除された前記封入式遊技機との通信が可能な通常通信モード（基板認証鍵モード（基板認証鍵運用））に設定することが可能であり（図１３８、図１３９、図１４１、図１４２、図１４６、図１４７）、
前記ローカル管理装置は、
前記認証用情報が前記管理装置から送信されてきたときに、前記認証用情報を記憶する認証用情報記憶手段（図７２において、ホールサーバは、鍵管理サーバから受信した基板セキュリティ情報（基板認証鍵および更新情報を含む）を記憶、図１４８のＳ２２２）と、
前記封入式遊技機が遊技者による遊技を行なう状態であるかを判定する判定手段（図１４８のＳ２２３）と、
前記制限通信モードにおいて前記認証用情報を受信したことを条件として、前記制限通信モードから前記通常通信モードに切り換える通信モード切換手段（図１４８のＳ２２４；ホールサーバはＣＵに対して基板認証鍵を送信することでモードを切り換える）とを含み、
前記通信モード切換手段は、前記制限通信モードでありかつ前記封入式遊技機が遊技者による遊技を行なう状態のときに前記認証用情報を受信した場合、前記封入式遊技機が遊技者による遊技を行なわない状態になったことを条件として、前記認証用情報記憶手段に記憶した前記認証用情報を前記遊技用装置へ送信する認証用情報送信手段（図１４８のＳ２２４）を含む。
【手続補正１３】
【補正対象書類名】明細書
【補正対象項目名】００１７
【補正方法】変更
【補正の内容】
【００１７】
このような構成によれば、遊技用装置の正当性が管理装置に記憶された第１認証用情報によって認証される前に通常通信モードとなって遊技用価値を用いた封入式遊技機での遊技が可能となることを防止できる。さらに、管理装置に記憶された第１認証用情報を受信できないときでも、制限通信モードとなり、遊技用価値を用いた封入式遊技機での遊技が許容されるため、柔軟な運用が可能となる。しかも、その場合には通常通信モードに比べて所定の制限の下で遊技が許容されるものとなるため、管理装置に記憶された第１認証用情報での認証が必要とされることなく運用が続けられてしまうことを防止できる。
【手続補正１４】
【補正対象書類名】明細書
【補正対象項目名】００１８
【補正方法】変更
【補正の内容】
【００１８】
また、制限通信モードにおいてローカル管理装置が認証用情報を受信したときでも、封入式遊技機が遊技者による遊技を行なう状態であるときには、即座にその認証用情報がローカル管理装置から遊技用装置に送信されて通常通信モードに切り換わるのではなく、封入式遊技機が遊技者による遊技を行なわない状態となったことを条件にして認証用情報がローカル管理装置から遊技用装置に送信されて通常通信モードに切り換わるため、制限通信モードにおいて提供されていた遊技に何らかの影響を与えてしまうことを防止できる。
【手続補正１５】
【補正対象書類名】明細書
【補正対象項目名】００１９
【補正方法】変更
【補正の内容】
【００１９】
（５）  前記（１）（２）に記載の遊技用システムであって、前記判定手段は、前記遊技用装置に前記遊技用価値を特定可能な情報が記録された記録媒体が受け付けられているかで、前記封入式遊技機が遊技者による遊技を行なう状態であるかを判定する（図１４７のＳ２１３、および図１４８のＳ２２３において、遊技者のカードが挿入されていれば稼働状態、挿入されていなければ非稼働状態と判定）。
【手続補正１６】
【補正対象書類名】明細書
【補正対象項目名】００２０
【補正方法】変更
【補正の内容】
【００２０】
このような構成によれば、封入式遊技機が遊技者による遊技を行なう状態か否かを簡単に判定可能となる。